(57)【要約】【課題】部品点数が少なく、かつ、作業性の高い引上管支持金具を提供する。【解決手段】電柱等の支柱の外周に取り付けられた締付けバンドに掛止して、当該支柱の長手方向に延びる引上管を固定する引上管支持金具１であって、締付けバンドと支柱との間の隙間等に挿入され締付けバンドに掛止される掛止部１１ｂ，１１ｂと、引上管４を固定する引上管固定部１１ａとが一体に形成されており、掛止部１１ｂ，１１ｂは、引上管固定部１１ａの両側からそれぞれ外側へ向かうように曲げて設けられ、各掛止部１１ｂ，１１ｂの先端部には、引上管固定部１１ａの方へ傾斜して延びる傾斜片１１ｂ２，１１ｂ２が設けられている。【選択図】図５
2018064426.tif 000002
【特許請求の範囲】
【請求項１】
電柱等の支柱の外周に取り付けられた締付けバンドに掛止して、当該支柱の長手方向に延びる引上管を固定する引上管支持金具であって、
前記締付けバンドに掛止される掛止部および前記引上管を固定する引上管固定部が一体で構成された金具本体を備えており、前記金具本体の掛止部は、前記引上管固定部の両側からそれぞれ外側へ向かうように曲げて設けられ、各掛止部の先端部には、前記引上管固定部の方へ傾斜して延びる傾斜片が設けられていることを特徴とする引上管支持金具。
【請求項２】
請求項１記載の引上管支持金具において、
前記金具本体の前記各掛止部先端における前記傾斜片は、先端に向かう程、幅が狭くなる形状に形成されていることを特徴とする引上管支持金具。
【請求項３】
請求項２記載の引上管支持金具において、
前記金具本体の前記各掛止部先端における前記傾斜片は、ほぼ三角形状に形成されており、外側の辺は直線で、かつ、内側の辺が先端に向かう程、外側へ傾斜した斜辺であることを特徴とする引上管支持金具。
【請求項４】
請求項１〜請求項３のいずれか一の請求項に記載の引上管支持金具において、
前記金具本体の前記引上管固定部は、
前記引上管の外周面の一部に当接する引上管当接部と、
前記引上管当接部の両端部からそれぞれ対向するように延びて前記各掛止部に連続する側板部とを備え、
前記各側板部には、それぞれ、ボルトの軸部が通るボルト孔が形成されており、当該ボルトの頭部が位置する側となる一方のボルト孔の内径は、前記ボルトの軸部の外周面の一部を覆うカラーの外径以上に形成されている一方、当該ボルトの軸部先端が位置する側となる他方のボルト孔の内径は、前記カラーの外径未満に形成されていることを特徴とする引上管支持金具。
【請求項５】
請求項４記載の引上管支持金具において、
前記一方のボルト孔の周囲には、前記他方のボルト孔側に向かって突出する円筒部が形成されており、当該円筒部の内径は、前記カラーの外径以上に形成されていることを特徴とする引上管支持金具。
【発明の詳細な説明】
【技術分野】
【０００１】
本発明は、電柱等の支柱の外周に取り付けられた締付けバンドに掛止して、当該支柱の長手方向に延びる引上管を固定する引上管支持金具に関する。
【背景技術】
【０００２】
各種通信線等の屋外ケーブルを電柱等の支柱に縦添えして配線する際、その屋外ケーブルを防護するため引上管を支柱に固定し、その中に屋外ケーブルを通している。
引上管を支柱に固定するため、従来より、電柱等の支柱の外周に取り付けられた締付けバンドに掛止して、当該支柱の長手方向に延びる引上管を固定する引上管支持金具が提案されている（例えば、特許文献１参照。）。
【先行技術文献】
【特許文献】
【０００３】
【特許文献１】特開２００８−２２８５４９号公報
【発明の概要】
【発明が解決しようとする課題】
【０００４】
しかし、前述の従来の引上管支持金具は、引上管締付けバンドと金具本体とが別部材で構成されており、現場で、引上げ管を支柱に固定する際に、引上管締付けバンドと金具本体とをボルトおよびナット等により固定するように構成されているため、部品点数が増大すると共に、作業に手間が掛かるという問題があった。
【０００５】
また、前述の従来の引上管支持金具では、金具本体の差し込み板部の幅が大きいため、支柱締付けバンドと当該支柱との間の隙間に挿入し難く、この点でも作業に手間がかかるという問題があった。
【０００６】
そこで、本発明はこのような問題点に着目してなされたもので、部品点数が少なく、かつ、作業性の高い引上管支持金具を提供することを目的とする。
【課題を解決するための手段】
【０００７】
上記課題を解決するため、本発明に係る引上管支持金具は、電柱等の支柱の外周に取り付けられた締付けバンドに掛止して、当該支柱の長手方向に延びる引上管を固定する引上管支持金具であって、前記締付けバンドに掛止される掛止部および前記引上管を固定する引上管固定部が一体で構成された金具本体を備えており、前記金具本体の掛止部は、前記引上管固定部の両側からそれぞれ外側へ向かうように曲げて設けられ、各掛止部の先端部には、前記引上管固定部の方へ傾斜して延びる傾斜片が設けられていることを特徴とする。
ここで、前記引上管支持金具において、前記金具本体の前記各掛止部先端における前記傾斜片は、先端に向かう程、幅が狭くなる形状に形成されているとさらに良い。
また、前記引上管支持金具において、前記金具本体の前記各掛止部先端における前記傾斜片は、ほぼ三角形状に形成されており、外側の辺は直線で、かつ、内側の辺が先端に向かう程、外側へ傾斜した斜辺であるとさらに良い。
また、前記引上管支持金具において、前記金具本体の前記引上管固定部は、前記引上管の外周面の一部に当接する引上管当接部と、前記引上管当接部の両端部からそれぞれ対向するように延びて前記各掛止部に連続する側板部とを備え、前記各側板部には、それぞれ、ボルトの軸部が通るボルト孔が形成されており、当該ボルトの頭部が位置する側となる一方のボルト孔の内径は、前記ボルトの軸部の外周面の一部を覆うカラーの外径以上に形成されている一方、当該ボルトの軸部先端が位置する側となる他方のボルト孔の内径は、前記カラーの外径未満に形成されているように構成するとさらに良い。
また、前記引上管支持金具において、前記一方のボルト孔の周囲には、前記他方のボルト孔側に向かって突出する円筒部が形成されており、当該円筒部の内径は、前記カラーの外径以上に形成されていると更に良い。
【発明の効果】
【０００８】
本発明に係る引上管支持金具は、締付けバンドと支柱との間の隙間に挿入され前記締付けバンドに掛止される掛止部と、引上管を固定する引上管固定部とが一体に形成されているため、部品点数が少なくなり、従来技術のように引上管締付けバンドと金具本体とをボルトおよびナット等により固定する必要がなくなり、作業性が向上する。
また、掛止部は、引上管固定部の両側からそれぞれ外側へ向かうように曲げて設けられ、各掛止部の先端部には、引上管固定部の方へ傾斜して延びる傾斜片が設けられているため、傾斜片から支柱締付けバンドと支柱との間の隙間に挿入し易くなり、この点でも作業性が向上する。
【図面の簡単な説明】
【０００９】
【図１】（ａ），（ｂ）それぞれ、本発明に係る実施形態の引上管支持金具の使用状態を示す正面図、左側面図である。
【図２】本発明に係る実施形態の引上管支持金具の使用状態を示す平面図である。
【図３】本発明に係る実施形態の引上管支持金具の斜視図である。
【図４】（ａ），（ｂ）それぞれ、本発明に係る実施形態の引上管支持金具の平面図、正面図である。
【図５】（ａ），（ｂ）それぞれ、本発明に係る実施形態の引上管支持金具の右側面図、背面図である。
【図６】図４（ａ）におけるＡ−Ａ線断面図である。
【図７】支柱締付けバンドと支柱との間の隙間に実施形態の引上管支持金具の傾斜片先端を挿入した状態を示す拡大平面図である。
【図８】支柱締付けバンドと支柱との間の隙間に実施形態の引上管支持金具の傾斜片先端を挿入した状態を示す拡大斜視図である。
【図９】支柱締付けバンドと支柱との間の隙間に実施形態の引上管支持金具の傾斜片全体を挿入した状態を示す拡大平面図である。
【図１０】支柱締付けバンドと支柱との間の隙間に実施形態の引上管支持金具の傾斜片全体を挿入した状態を示す拡大斜視図である。
【図１１】支柱締付けバンドと支柱との間の隙間に実施形態の引上管支持金具の傾斜片全体を挿入して傾斜片が支柱締付けバンドの下端から突出した状態を示す拡大平面図である。
【図１２】支柱締付けバンドと支柱との間の隙間に実施形態の引上管支持金具の傾斜片全体を挿入して傾斜片が支柱締付けバンドの下端から突出した状態を示す拡大斜視図である。
【発明を実施するための形態】
【００１０】
以下、本発明にかかる引上管支持金具の実施形態について、図面を参照して説明する。なお、下記に説明する実施形態はあくまで本発明の一例であり、本発明は下記の実施形態に限定されるものではなく、本発明の技術思想の範囲内で適宜変更可能である。
【００１１】
本実施形態の引上管支持金具１は、図１および図２に示すように、電柱等の支柱２の外周面に締め付けて取り付けられた締付けバンド３と当該支柱２との間の隙間等に挿入することによって締付けバンド３に掛止して、当該支柱２の長手方向に延びる引上管４を固定するための金具で、図３〜図６に示すように、引上管固定部１１ａおよび掛止部１１ｂ，１１ｂが一体に形成された金具本体１１と、座金付きボルト１２およびナット１３と、カラー１４とを備えている。なお、図１および図２において、符号の５は、バンド締付金具である。
【００１２】
＜金具本体１１の構成＞
金具本体１１の引上管固定部１１ａは、図３〜図６に示すように、引上管４を固定する部分で、引上管４の外周面に一部に内側面が接触するように湾曲して上下方向、すなわち支柱２の長手（軸線）方向の幅がｗ１で湾曲した引上管当接部１１ａ１と、引上管４の外周面の一部に当接する引上管当接部１１ａ１と、引上管当接部１１ａ１の両端部からそれぞれ対向するように延びて各掛止部に連続する側板部１１ａ２，１１ａ３とを備える。
【００１３】
各側板部１１ａ２，１１ａ３には、それぞれ、図６等に示すように、座金付きボルト１２の軸部１２ａが通るボルト孔１１ａ２１，１１ａ３１が形成されている。
【００１４】
そして、当該座金付きボルト１２の頭部１２ｂが位置する側、すなわち図６上右側となる側板部１１ａ２のボルト孔１１ａ２１の周囲には、バーリンク加工等によって他方のボルト孔１１ａ３１側に向かって突出する円筒部１１ａ２１１が形成されており、当該円筒部１１ａ２１１の内径ｒ１は、カラー１４の外径Ｒ１以上に形成されている。
【００１５】
これに対し、座金付きボルト１２の軸部１２ａ先端が位置する側、すなわち図６上左側となる側板部１１ａ３のボルト孔１１ａ３１の内径ｒ２は、カラー１４の外径Ｒ１未満に形成されている。
【００１６】
そのため、カラー１４は、予め座金付きボルト１２の軸部１２ａに装着した状態で金具本体１１の円筒部１１ａ２１１が形成された側板部１１ａ２のボルト孔１１ａ２１側から挿入することが可能となり、この点でも作業性が向上する。
【００１７】
また、カラー１４は、座金付きボルト１２の軸部１２ａ先端が位置する側、すなわち図６上左側の端部は、側板部１１ａ３のボルト孔１１ａ３１周囲の内側面に当接して止まる一方、座金付きボルト１２の頭部１２ｂが位置する側、すなわち図６上右側の端部は、側板部１１ａ２の円筒部１１ａ２１１およびボルト孔１１ａ２１を通って座金付きボルト１２の頭部１２ｂ裏側の座金部１２ｃに当接して止まり、カラー１４の脱落も確実に防止している。
【００１８】
金具本体１１の掛止部１１ｂ，１１ｂは、図３〜図６に示すように、締付けバンド３と支柱２との間の隙間等に挿入されて締付けバンド３に掛止される部分で、引上管４を固定する引上管固定部１１ａと一体に形成されており、引上管固定部１１ａ両側の各側板部１１ａ２，１１ａ３からそれぞれ外側へ向かうように曲げて設けられ、その面がほぼ支柱２の長手方向（軸線方向）と平行に延びる掛止部本体１１ｂ１，１１ｂ１と、各掛止部本体１１ｂ１，１１ｂ１先端から曲がり引上管固定部１１ａの方、すなわち支柱２からは離れる方向へ傾斜して延びる傾斜片１１ｂ２，１１ｂ２が設けられている。
【００１９】
各傾斜片１１ｂ２，１１ｂ２先端は、それぞれ、先端に向かう程、幅が狭くなる略三角形状に形成されており、外側の辺１１ｂ２１，１１ｂ２１は直線で、かつ、内側の辺１１ｂ２２，１１ｂ２２は先端に向かう程、外側へ傾斜した斜辺で構成されており、傾斜片１１ｂ２，１１ｂ２の先端部、すなわち外側の辺１１ｂ２１，１１ｂ２１と内側の辺１１ｂ２２，１１ｂ２２が交差する鋭角部１１ｂ２３，１１ｂ２３を形成している。
【００２０】
＜金具本体１１以外の構成＞
座金付きボルト１２は、ネジ部が形成された軸部１２ａと、座金１２ｃが一体成形された頭部１２ｂとから構成され、ナット１３に螺合するように構成されている。
【００２１】
カラー１４は、合成樹脂等から構成されており、座金付きボルト１２の軸部１２ａのネジ部が引上管４に傷等を与えないように座金付きボルト１２の軸部１２ａの周りに設けられるものである。
【００２２】
＜実施形態の引上管支持金具１の掛止動作＞
次に、以上のように構成された実施形態の引上管支持金具１の各掛止部１１ｂ，１１ｂの傾斜片１１ｂ２，１１ｂ２先端を、支柱締付けバンド３と支柱２との間の隙間等に挿入することによって締付けバンド３に掛止して、引上管支持金具１を支柱締付けバンド３に掛止する動作について説明する。
【００２３】
図７および図８は、それぞれ、支柱締付けバンド３と支柱２との間の隙間に、実施形態の引上管支持金具１の各掛止部１１ｂ，１１ｂの傾斜片１１ｂ２，１１ｂ２先端を挿入した状態を示す拡大平面図、拡大斜視図である。
【００２４】
実施形態の引上管支持金具１では、各掛止部本体１１ｂ１，１１ｂ１先端から曲がり、引上管固定部１１ａの方へ傾斜して延びる傾斜片１１ｂ２，１１ｂ２が設けられているため、図７および図８に示すように、引上管支持金具１を斜めにして、傾斜片１１ｂ２，１１ｂ２先端から掛止部１１ｂ，１１ｂを柱締付けバンド３と支柱２との間の隙間に容易に挿入できる。尚、柱締付けバンド３自体に、掛止用の隙間ないしは溝がある場合には、その隙間ないしは溝に挿入しても良い。
【００２５】
図９および図１０は、それぞれ、支柱締付けバンド３と支柱２との間の隙間に、実施形態の引上管支持金具１の各掛止部１１ｂ，１１ｂの傾斜片１１ｂ２，１１ｂ２全体を挿入した状態を示す拡大平面図である。
【００２６】
図７および図８に示すように引上管支持金具１の各掛止部１１ｂ，１１ｂの傾斜片１１ｂ２，１１ｂ２先端を支柱締付けバンド３と支柱２との間の隙間等に挿入し、さらに引上管支持金具１を押し下げると、図９および図１０に示すように傾斜片１１ｂ２，１１ｂ２全体が支柱締付けバンド３と支柱２との間の隙間に入り込むことになる。
【００２７】
図１１および図１２は、それぞれ、支柱締付けバンド３と支柱２との間の隙間に、実施形態の引上管支持金具の傾斜片１１ｂ２，１１ｂ２全体を挿入して傾斜片１１ｂ２，１１ｂ２が支柱締付けバンド３の下端から突出した状態を示す拡大平面図、拡大斜視図である。
【００２８】
図９および図１０に示すように傾斜片１１ｂ２，１１ｂ２全体が支柱締付けバンド３と支柱２との間の隙間に入り込んだ状態からさらに引上管支持金具１を押し下げると、図１１および図１２に示すように傾斜片１１ｂ２，１１ｂ２が支柱締付けバンド３の下端から突出して、引上管４を固定した引上管支持金具１を支柱締付けバンド３に掛止することができる。
【００２９】
そのため、実施形態の引上管支持金具１では、金具本体１１両側に間隔を空けて設けられた各掛止部１１ｂ，１１ｂ先端の傾斜片１１ｂ２，１１ｂ２が支柱締付けバンド３の下端から突出するので、引上管４を固定した引上管支持金具１が支柱締付けバンド３から脱落し難くすることができる。
【００３０】
また、図１１に示すように、実施形態の引上管支持金具１では、金具本体１１の掛止部１１ｂ，１１ｂの先端部に設けられた傾斜片１１ｂ２，１１ｂ２は、それぞれ、先端に向かう程、幅が狭くなる略三角形状に形成されており、外側の辺１１ｂ２１，１１ｂ２１は直線で、かつ、内側の辺１１ｂ２２，１１ｂ２２は先端に向かう程、外側へ傾斜した斜辺で構成されており、傾斜片１１ｂ２，１１ｂ２の先端部、すなわち外側の辺１１ｂ２１，１１ｂ２１と内側の辺１１ｂ２２，１１ｂ２２が交差する鋭角部１１ｂ２３，１１ｂ２３を形成しているため、傾斜片１１ｂ２，１１ｂ２の先端部、すなわち外側の辺１１ｂ２１，１１ｂ２１と内側の辺１１ｂ２２，１１ｂ２２が交差する鋭角部１１ｂ２３，１１ｂ２３は、それぞれ、掛止部１１ｂ，１１ｂの外側に設けられることになる。
【００３１】
そのため、各傾斜片１１ｂ２，１１ｂ２の先端部である鋭角部１１ｂ２３，１１ｂ２３間の間隔は、実施形態とは反対に傾斜片１１ｂ２，１１ｂ２の外側の辺１１ｂ２１，１１ｂ２１を斜辺、内側の辺１１ｂ２２，１１ｂ２２を直線で構成した場合よりも離れることになる。
【００３２】
その結果、実施形態の引上管支持金具１によれば、各傾斜片１１ｂ２，１１ｂ２の先端部である鋭角部１１ｂ２３，１１ｂ２３が離れることになるので、図１１および図１２に示すように傾斜片１１ｂ２，１１ｂ２が支柱締付けバンド３の下端から突出して引上管支持金具１を支柱締付けバンド３に掛止した後は、支柱締付けバンド３に掛止した掛止部１１ｂ，１１ｂを脱落し難くすることできる。
【００３３】
以上説明したように、実施形態の引上管支持金具１は、締付けバンド３と支柱２との間の隙間等に挿入され支柱締付けバンド３に掛止される掛止部１１ｂ，１１ｂと引上管４を固定する引上管固定部１１ａとを一体に形成した金具本体１１を有するため、部品点数が少なくなり、従来技術のように引上管締付けバンドと金具本体とをボルトおよびナット等により固定する必要がなくなり、作業性が向上する。
【００３４】
また、実施形態の引上管支持金具１では、掛止部１１ｂ，１１ｂは、引上管固定部１１ａの両側からそれぞれ外側へ向かうように曲げて設けられ、各掛止部１１ｂ，１１ｂの掛止部本体１１ｂ１，１１ｂ１の先端には、掛止部本体１１ｂ１，１１ｂ１先端から曲げられ引上管固定部１１ａの方へ傾斜して延びる傾斜片１１ｂ２，１１ｂ２が設けられているため、傾斜片１１ｂ２，１１ｂ２から支柱締付けバンド３と支柱２との間の隙間等に挿入し易くなり、この点でも作業性が向上する。
【００３５】
また、実施形態の引上管支持金具１では、金具本体１１の各掛止部１１ｂ，１１ｂ先端の傾斜片１１ｂ２，１１ｂ２は、先端に向かう程、幅が狭くなる略三角形状に形成されているため、締付けバンド３と支柱２との間の隙間に掛止部１１ｂ，１１ｂが挿入し易くなり、この点でも作業性が向上する。
【００３６】
また、実施形態の引上管支持金具１では、締付けバンド３に掛止した際には、金具本体１１両側に間隔を空けて設けられた各掛止部１１ｂ，１１ｂ先端の傾斜片１１ｂ２，１１ｂ２が支柱締付けバンド３の下端から突出するので、引上管４を固定した引上管支持金具１が支柱締付けバンド３から脱落し難くすることができる。
【００３７】
特に、実施形態の引上管支持金具１では、金具本体１１の各掛止部１１ｂ，１１ｂ先端の傾斜片１１ｂ２，１１ｂ２は、略三角形状に形成されており、外側の辺１１ｂ２１，１１ｂ２１は直線で、かつ、内側の辺１１ｂ２２，１１ｂ２２が先端に向かう程、外側へ傾斜した斜辺であるため、各傾斜片１１ｂ２，１１ｂ２の先端部である鋭角部１１ｂ２３，１１ｂ２３間の間隔は、実施形態とは反対に傾斜片１１ｂ２，１１ｂ２の外側の辺１１ｂ２１，１１ｂ２１を斜辺、内側の辺１１ｂ２２，１１ｂ２２を直線で構成した場合よりも離れることになる。
【００３８】
そのため、この点でも、支柱締付けバンド３に掛止した掛止部１１ｂ，１１ｂを脱落し難くすることできる。
【００３９】
また、実施形態の引上管支持金具１では、金具本体１１の引上管固定部１１ａは、引上管４の外周面の一部に当接する引上管当接部１１ａ１と、引上管当接部１１ａ１の両端部からそれぞれ対向するように延びて各掛止部１１ｂ，１１ｂに連続する側板部１１ａ２，１１ａ３とを備え、座金付きボルト１２の頭部１２ｂが位置する側である側板部１１ａ２のボルト孔１１ａ２１の周囲には、バーリンク加工等によって他方のボルト孔１１ａ３１側に向かって突出する円筒部１１ａ２１１が形成されており、当該円筒部１１ａ２１１の内径ｒ１は、カラー１４の外径Ｒ１以上に形成されている一方、座金付きボルト１２の軸部１２ａ先端が位置する側である側板部１１ａ３のボルト孔１１ａ３１の内径ｒ２は、カラー１４の外径Ｒ１未満に形成されている。
【００４０】
そのため、カラー１４は予め座金付きボルト１２の軸部１２ａに装着した状態で金具本体１１の円筒部１１ａ２１１が形成された側板部１１ａ２のボルト孔１１ａ２１側から挿入することが可能となり、この点でも作業性が向上する。
【符号の説明】
【００４１】
１  引上管支持金具
１１  金具本体
１１ａ  引上管固定部
１１ａ１  引上管当接部
１１ａ２，１１ａ３  側板部
１１ａ２１，１１ａ３１  ボルト孔
１１ａ２１１  円筒部
１１ｂ，１１ｂ  掛止部
１１ｂ１，１１ｂ１  掛止部本体
１１ｂ２，１１ｂ２  傾斜片
１１ｂ２１，１１ｂ２１  外側の辺
１１ｂ２２，１１ｂ２２  内側の辺
１１ｂ２３，１１ｂ２３  鋭角部
１２  座金付きボルト
１２ａ  軸部
１２ｂ  頭部
１２ｃ  座金
１３  ナット
１４  カラー
２  支柱
３  締付けバンド
４  引上管
５  バンド締付金具
【図１】
2018064426.tif 000003
【図２】
2018064426.tif 000004
【図３】
2018064426.tif 000005
【図４】
2018064426.tif 000006
【図５】
2018064426.tif 000007
【図６】
2018064426.tif 000008
【図７】
2018064426.tif 000009
【図８】
2018064426.tif 000010
【図９】
2018064426.tif 000011
【図１０】
2018064426.tif 000012
【図１１】
2018064426.tif 000013
【図１２】
2018064426.tif 000014